(57)【特許請求の範囲】
【請求項１】
内部に２つの側方フランジと電源供給レールとが配置されたベース部と、前記ベース部の側方フランジに取付られた透明プラスチック部と、前記ベース部と前記透明プラスチック部とに掛かり合うことが可能であってかつ照明器具の端部に配置した２つのカバーとを備えた照明器具であって 、透明プラスチック部（３）は、前記ベース部の長さよりわずかに小さい長さに切断されているとともに囲繞することによってベース部（２）のフランジの上端部（２１ａ，２１ｂ）を完全に覆う側方端部（３１，３２）を有し、前記透明プラスチック部（３）が前記ベース部（２）に固定された閉鎖終端部（７）の上端部上の照明器具の２つの端部で停止し、前記２つの端部カバー（４）が前記終端部（７）を押圧しかつ透明プラスチック部（３）と前記ベース部（２）の上端部（２１ａ，２１ｂ）を囲繞している照明器具。
【請求項２】
長さ方向に配置し、かつ前記透明プラスチック部（３）の側方端部（３１，３２）を長さ方向全体にわたって覆っている２つの側方部（５）を備えた請求項１に記載の照明器具。
【請求項３】
各側方部（５）が、照明器具の全長にわたって固定されるように前記ベース部（２）における円形スロット（１２）に滑合された円形測道部（１３）を有し、各側方部（５）が前記ベース部（２）の端部に対して透明プラスチック部（３）を押圧し、かつ透明部（３）を面方向で横向きに保持するように設計されている請求項２に記載の照明器具。
【請求項４】
前記透明プラスチック部が押し出し加工されたプラスチックから成る請求項１に記載の照明器具。
【請求項５】
前記透明プラスチック部が透明ポリカーボネートから成る請求項１に記載の照明器具。
【請求項６】
前記ベース部（２）と前記側方部（５）とが押し出し加工されたアルミニウムから成る請求項２に記載の照明器具。
【請求項７】
前記透明プラスチック部の長さが300cmまでの長さを得るように変更可能である請求項１に記載の照明器具。
【請求項８】
アルミニウムからなる前記端部カバー（４）が照明器具の端部に自由な空間を残しており、そのため、前記透明プラスチック部（３）と前記ベース部（２）よりわずかに長いアルミニウムからなる前記側方部（５）とが温度の変動による材料の伸縮によって長さを変更することができる請求項２に記載の照明器具。
【請求項９】
前記ベース部（２）は、凝結によって生成した水が内部から流れ出ることができるように、下部に孔（６）を有している請求項１に記載の照明器具。
【請求項１０】
前記ベース部（２）の複数の上端部（２１ｂ）の少なくとも一つが、透明プラスチック部（３）により容易にはまるように傾斜した形状で終端している請求項１に記載の照明器具。
【請求項１１】
前記閉鎖終端部（７）は、ピン（１９）を用いてベース部（２）に対して位置決めされており、かつベース部（２）における穿孔（８）にねじ込まれたネジ（１０）によって固定されている請求項１に記載の照明器具。
【請求項１２】
前記ベース部（２）は、照明器具を簡単なクリップ留めによって固定部材の支持部に固定する突起部（１７）と溝（１６）とを有する請求項１に記載の照明器具。
【請求項１３】
光ビームを一方向に集中する放物面反射装置を内部に備えるように構成された請求項１に記載の照明器具。
【請求項１４】
光を好ましくない方向に反射しないように、内部に少なくとも一つの拡散グリッドを備えるように構成された請求項１に記載の照明器具。
【発明の詳細な説明】
【０００１】
【発明の属する技術分野】
本発明は、照明、特に照明器具に関するものである。
【０００２】
【従来の技術及び発明が解決しようとする課題】
米国特許第5,541,823号明細書は、インドア及びアウトドアの両方で使用される照明器具であって、ベース部と、中央部と、端部にカバーを有する透明カバー部とを備えたネオン型光管を開示している。
【０００３】
欧州特許第0,142,432号公開公報の内容は、特に本体と、ディフューザと、２個の末端部材とを備えるとともに、本体と、ディフューザと、２個の末端部材との間にシールを供給する手段とを備えた、蛍光管を含む閉鎖型の照明器具に関するものである。
【０００４】
ファイリング（filing)の会社は、欧州特許文献EP-0,375,623において開示した電源供給レールをすでに開発した。この発明は照明器具に関しするものである。この発明は、２つの隣接する接点との間に配置した一連のバルブ(bulb)を供給するため、90°で配置した接触パッドを予め決めた決めた距離間隔で有する少なくとも２つの重畳導電性ストリップを備えた電気接点のペアの連続体を有する。
【０００５】
欧州特許文献EP-516,578においては、ファイリング（filing)の会社は、導電性ストリップ用の中央凹みと接触パッドを自由に通過させる開口とを有する部位に滑合された導電性ストリップを提案した。
【０００６】
欧州特許文献EP-0,652,398においては、ファイリング（filing)の会社は、長さ方向に沿って内部に連続的に並んだ放物断面のアルミニウム反射装置であって、電気的接触パッドが前記反射装置を貫通するものを提案した。その放物面反射装置の焦点はバルブ(bulb)の中央に近接して、照明器具の全長にわたって狭い光ビームを分散する線形反射装置を形成し、かつ拡散グリッドの挿入が前記光ビームに位置し、かつ光ビームを方向付けして好適な方向に反射できるようになっている。
【０００７】
【課題を解決するための手段】
本発明は、実用的な理由のため、照明器具が保護される可能性がなくそのため天候に晒されることなく、ビームが方向付けられるように照明器具を設置しなければならないときの照明に特に意図された改善に関するものである。
【０００８】
本発明によると、照明器具は、内部に２つの側方フランジと電源供給レールとが配置されたベース部と、前記ベース部の側方フランジに対向して配置された透明プラスチック部と、前記ベース部と前記透明プラスチック部とに掛かり合うことが可能であってかつ照明器具の端部に配置した２つのカバーとを備えている。この照明器具では、プラスチックから成る透明部は、前記ベース部の長さよりわずかに小さい長さに切断されているとともに囲繞されることによってベース部のフランジの上端部を完全に覆う側方端部を有し、前記透明プラスチック部が前記ベース部に固定された閉鎖終端部の上端部上の照明器具の２つの端部で停止し、前記２つの端部カバーが前記終端部を押圧しかつ透明部と前記ベース部の上端部を囲繞している。
【０００９】
照明器具は、長さ方向に配置し、かつ前記透明プラスチック部の側方端部を長さ方向全体にわたって覆っている２つの側方部を備えていると有利である。また、各側方部は、照明器具の全長にわたって固定されるように前記ベース部における円形スロットに滑合された円形測道部を有し、各側方部が前記ベース部の端部に対して透明部を押圧し、かつ透明部を面方向で横向きに保持するように設計されている。
【００１０】
好適な実施形態では、ポリカーボネート、あるいは必要ならアクリル材料から成る透明プラスチック部は押し出し加工されたプラスチックである。同様に、２つのアルミニウム部も押し出し加工されたものである。この実施形態では、長さが300cmまでの範囲の変更可能な長さの照明器具を作ることが可能である。
【００１１】
この実施形態では、照明器具のアルミニウムカバーは、照明器具の端部に自由な空間を残しており、そのため、前記ベース部よりわずかに長い前記透明プラスチック部と前記アルミニウム部が温度の変動による材料の伸縮によって長さが変化することができる。
【００１２】
照明器具は、凝結によって生成した水が内部から流れ出ることができるように、その下部に孔を有すると有利である。
【００１３】
好適な実施形態では、ベース部の複数の上端部の少なくとも一つが、透明プラスチック部により容易にはまるように傾斜した形状で終端している。閉鎖終端部は、ピンを用いてベース部に対して位置決めされており、かつベース部における穿孔にねじ込まれたネジによって固定されている。ベース部は、照明器具を簡単なクリップ留めによって固定部材の支持部に固定する突起部と溝とを有する。
【００１４】
照明器具は、光ビームを一方向に集中する放物面反射装置を内部に備えるように構成されている。また、光を好ましくない方向に反射しないように、内部に少なくとも一つの拡散グリッドを備えるように構成されている。
【００１５】
【発明の実施の形態】
添付図面は、非限定的な例として、本発明の内容の実施形態を示している。
【００１６】
図１に示した一般図において、照明器具１は、ベース部２と、プラスチック部３と、照明器具１の各端部に配置したアルミニウムカバー４と２つのアルミニウム部５とを備えている。照明器具内部に凝結により形成した水を流し出すことができる孔６の一つを図２で示した。図３は、導電性フレックス１２用の孔１１と締めネジ１０用の孔９とを有する終端部材７とを示している。電源供給レールと放物面反射装置とは図面の簡単化のために描いていない。
【００１７】
図に示したように、アルミニウムカバー４は上部を有し、照明器具１のスイッチを入れたときに、温度における変動によって透明プラスチック部３が膨張するように、アルミニウム部５と同様にベース部２の長さを越えている。
【００１８】
有利な実施形態における透明プラスチック部３は、ＭＡＣＲＯＬＯＮあるいはＰＬＥＸＩＧＬＡＳ型の透明なポリカーボネートを押し出し加工することによって製造される；これは、非常に短い長さから300cmの長さまで可能なように、照明器具の寸法を変更することを可能にする。透明プラスチック部３は、ベース部２の上端部２１ａ，２１ｂと係合して、それら上端部を２１ａ，２１ｂ部分的に囲繞する２つのフランジによって終端する端部３１を有する中央部を含んでいる。フランジの上部面は溝を有し、そのため、透明部が伸縮効果を受けるときは、その面は他の面とよくフィットする。
【００１９】
アルミニウム部５も押し出し加工によって製造され、透明プラスチック部３と同じ寸法に適合されてもよい。このアルミニウム部５は、ベース部２における円形スロット１２に係合する円形測道部１３で終端されている。そこでは、それらスロットに円形測道部が滑り込んで照明器具の全長にわたって固定されている。アルミニウム部５は、ベース部２の端部でプラスチック部３を押し、それを面内で横向きに保持している。そのため、アルミニウム部５はプラスチック部３の変形を防止している。
【００２０】
ベース部２の下部では、照明器具内に蓄積して凝結した水が流し出す、規則的な間隔で配置した孔６を備えていると有利である。ベース部２は、電源供給レールのその孔への挿入を可能にし、そうするために、そのレール（図面中には描かれていない）を収容するための拡張領域１４を下部に有する。同様に、溝１５は正確な方向に集中する光ビームを送るための、滑り挿入された放物面反射鏡（図示せず）に用いられる。溝１６は、光が好ましくない反射するのを防ぐために、一または二以上の拡散グリッド（図示せず）を配置するために用いられる。ベース部のフランジ２１ｂの一つは、透明プラスチック部３がより容易にはめ込まれるように、傾斜した外部縁を有する。
【００２１】
突起部(lug)１７と部位１６における特別の溝は、照明器具１を簡単なクリップ留め（clip-in operation）によって固定部の支持部（図示せず）に固定するものである。各固定部は、ネジを用いて、アセンブリが正確な方向を向くように調節するためのものである。照明器具は、サービスあるいはメンテナンスのために、特にランプを交換するために容易に取り外しができるようになっていてもよい。、
【００２２】
孔８は、それに対応する閉鎖終端部７に形成された孔９と協動し、それによって、ベース部２、終端部７、及びカバー４を備えたアセンブリがネジ１０によって固定される。
【００２３】
孔２０は、閉鎖終端部７上のスタッド１９と掛かり合う。スタッド１９と孔９とを含むこの終端部は、ベース部２とマッチする周辺部を有し、かつベース部２とアルミニウム部カバー４との間を固定する。孔１１は電気フレックス１２の通路である。
【００２４】
カバー４の上部は、プラスチック部３とアルミニウム部５とを、照明器具の他の構成要素よりわずかに長くしている。これは、長さ300cmをフィットする場合にポリカーボネイトあるいはアクリル材料に対して15mmだけ伸縮することを考慮したものである。
【００２５】
このように、記載した照明器具は、温度の変動によって実質的に変形しないものであって、最大長300cmを得るように長さを変える可能性を有し、内部に凝結の問題がなく、組立が簡単で、支持部から非常に容易に取り外すことができる照明器具である。
【図面の簡単な説明】
【図１】   照明器具の一般的な外観斜視図である。
【図２】   図１の照明器具のII−II線での断面図である。
【図３】   アルミニウムカバー内の、照明器具の端部に配置する閉鎖終端部の詳細図である。
【符号の説明】
２  ベース部
３  透明プラスチック部
４  端部カバー（アルミニウムカバー）
５  側方部
６  孔
７  閉鎖終端部
１２  円形スロット
１６  溝
１７  突起部
１９  ピン
２１ａ，２１ｂ  上端部
３１，３２  側方端部
【図１】
0004034514.tif 000002
【図２】
0004034514.tif 000003
【図３】
0004034514.tif 000004